(57)【要約】【課題】  例えば連写モードで撮影した関連ある複数枚の静止画像を関連付けて再生することができる撮像装置及び撮像方法を提供する。【解決手段】  メモリカード６は、静止画像データを格納する。撮像部１や画像信号処理部２や圧縮伸長部４の処理により静止画像を撮影してメモリカードインタフェース５を介してメモリカード６へ撮影処理により生成した静止画像データを記録する。ここで、一連の複数の静止画像を撮影してメモリカード６に一連の複数の静止画像データを記録する場合に、システムコントローラ７は、一連の複数の静止画像データ群を特定する情報を含むプレイリストを生成して、生成したプレイリストを利用した処理（再生処理など）を行う。【選択図】  図１
2005197785.tif 000002
【特許請求の範囲】
【請求項１】
撮像手段と、
前記撮像手段により得られた静止画像データを記録媒体に記録する記録手段と、
一連の複数の静止画像を撮影して前記記録媒体に一連の複数の静止画像データを記録する連写モードにおいて、前記一連の複数の静止画像データの再生手順を指定したプレイリストを生成するプレイリスト生成手段と
を具備することを特徴とする撮像装置。
【請求項２】
前記プレイリストに従って前記記録媒体から前記一連の複数の静止画像データを再生する再生手段を備えたことを特徴とする請求項１に記載の撮像装置。
【請求項３】
前記プレイリストを利用して前記一連の複数の静止画像データを他の装置へ転送処理する手段を備えたことを特徴とする請求項１または２に記載の撮像装置。
【請求項４】
記録手段は、前記撮像手段により得られた動画像データを前記記録媒体に記録する機能を更に具備することを特徴とする請求項１〜３のいずれか１項に記載の撮像装置。
【請求項５】
前記プレイリスト生成手段により前記プレイリストを生成するか否かを任意に設定する設定手段を更に具備することを特徴とする請求項１〜４のいずれか１項に記載の撮像装置。
【請求項６】
前記プレイリスト生成手段は、前記連写モードにおいて撮影された前記複数の静止画像データの撮影間隔を示す情報を前記プレイリストに付加して生成し、
前記再生手段は、前記プレイリストに付加された前記撮影間隔を示す情報に基づいて前記一連の複数の静止画像データを前記撮影間隔に応じた間隔で再生すること
を特徴とする請求項２に記載の撮像装置。
【請求項７】
撮像手段により得られた静止画像データを記録媒体に記録する記録ステップと、
一連の複数の静止画像を撮影して前記記録媒体に一連の複数の静止画像データを記録する連写モードにおいて、前記一連の複数の静止画像データの再生手順を指定したプレイリストを生成するプレイリスト生成ステップと
を有することを特徴とする撮像方法。
【発明の詳細な説明】
【技術分野】
【０００１】
本発明は、動画像および静止画像を記録媒体に記録することの可能なデジタルカメラまたはカメラ一体型ＶＴＲ（ビデオカメラ）等の撮像装置及び撮像方法に関するものである。
【背景技術】
【０００２】
従来、静止画像の記録モードとして、静止画像を一枚撮影する単写、静止画像を連続的に複数枚撮影する連写、明るさを変化させユーザＡＷＢ撮影、静止画像の合成を目的としたフォトステッチなどの機能がある。また、記録媒体に記録された静止画像の閲覧方法として、画像を表示中に、画像送りや画像戻し、複数の画像データを一画面中に複数表示させるインデックス表示、また記録されている画像を順次表示していくスライドショー機能などがある（例えば、特許文献１参照。）。
【０００３】
これらの機能の中でスライドショーにおいては、記録媒体に記録されている画像データの一定時間表示を行い、次に表示する画像データがあればその画像データの表示を一定時間行いというようにすべての画像データを一定のインターバル時間で順次表示し、すべての画像データが表示された後には、また最初に表示した画像から繰り返し表示を行う方法を取る。
【０００４】
【特許文献１】特開２００３−２０９８０９号公報
【発明の開示】
【発明が解決しようとする課題】
【０００５】
しかしながら、上記従来例では、記録媒体に保存してある全ての静止画像データを全て順次更新表示していくため、連写、フォトステッチなどで撮影した、関連ある複数枚の静止画像を関連付けて（または一体的に）再生することができないという問題がある。
また、
【０００６】
本発明は、上述した事情を考慮してなされたもので、例えば連写、フォトステッチなどで撮影した関連ある複数枚の静止画像を関連付けて再生することができる撮像装置及び撮像方法を提供することを目的とする。
【課題を解決するための手段】
【０００７】
この発明は、上述した課題を解決すべくなされたもので、本発明による撮像装置においては、撮像手段と、撮像手段により得られた静止画像データを記録媒体に記録する記録手段と、一連の複数の静止画像を撮影して記録媒体に一連の複数の静止画像データを記録する連写モードにおいて、一連の複数の静止画像データの再生手順を指定したプレイリストを生成するプレイリスト生成手段とを具備することを特徴とする。
【０００８】
また、本発明による撮像方法においては、撮像手段により得られた静止画像データを記録媒体に記録する記録ステップと、一連の複数の静止画像を撮影して記録媒体に一連の複数の静止画像データを記録する連写モードにおいて、一連の複数の静止画像データの再生手順を指定したプレイリストを生成するプレイリスト生成ステップとを有することを特徴とする。
【発明の効果】
【０００９】
本発明による撮像装置及び撮像方法は、一連の複数の静止画像データを撮影した際に、一連の複数の静止画像データの再生手順を指定したプレイリストを生成することができる。これにより、このプレイリストを利用した処理を行うことができる。プレイリストを利用した処理として、例えば静止画像再生時にこのプレイリストを利用して再生することにより関連した一連の複数の静止画像を再生することができる。また、プレイリストを利用した処理として、撮像装置がＰＣ等と通信機能を有し、静止画像ファイルをＰＣへ転送したい場合に、このプレイリストを利用することで関連する一連の複数の静止画像ファイル群を容易に転送することができる。
【発明を実施するための最良の形態】
【００１０】
以下、図面を用いて本発明の実施形態について説明する。
まず、本発明の一実施形態における画像記録再生装置（撮像装置）の概略構成について説明する。図１は、本発明の一実施形態における画像記録再生装置の概略構成を示す図である。図１において、１は、撮像部であり、被写体を撮像して撮像信号を出力する。２は、画像信号処理部であり、撮像部１が出力する撮像信号を基に、静止画像または動画像の画像データや映像信号を出力する。３は、モニタ部であり、画像信号処理部２が出力する画像データの画像やユーザインタフェース用画面などを表示する。４は、圧縮／伸長部であり、画像信号処理部２が出力する静止画像または動画像の画像データに対して圧縮／伸長処理を行う。
【００１１】
５は、インタフェース部であり、後述するメモリカード６への画像データの書き込みや読み出しを行うためのインタフェースである。６は、メモリカードであり、画像データなどを記録する例えばリムーバルメモリである。このメモリカード６の内部ファイル構成は、例えば図２に示すファイル構成例２０のような構成である。図２は、本実施形態におけるメモリカード６の内部ファイル構成例を示す図である。図２に示すように、メモリカード６は、静止画像（本実施形態ではＪＰＥＧ形式の画像）の画像データを独自ディレクトリ“ＤＣＩＭ”に格納し、自動生成されたプレイリストを独自ディレクトリ“ＰｌａｙＬｉｓｔ”に格納する。独自ディレクトリ“ＰｌａｙＬｉｓｔ”に格納されるプレイリストのファイル名は、“ｐｌｉｓｔ００１．ｐｌｔ”、“ｐｌｉｓｔ００２．ｐｌｔ”、…であり、これは、画像記録再生装置が自動的にネーミングするファイル名である。
【００１２】
尚、本実施形態におけるプレイリストとは、メモリカード６に記録された画像データの再生手順を記述したデータであり、例えば、ＳＭＩＬやＸＭＬなどの記述言語によって記述される。本実施形態では、連写された複数の静止画ファイルを連続して再生するようこれらの静止画ファイルを指定し、再生手順を記述したプレイリストを自動的に作成し、メモリカード６に記録している。
【００１３】
７は、システムコントローラであり、上述した画像信号処理部２や圧縮／伸長部４や後述する外部通信部８などの動作を制御するとともに、画像記録再生装置内のデータの流れなどを制御する。この、システムコントローラ７は、後述するスイッチ部９からの指示信号に応じた制御を行う。
【００１４】
８は、外部通信部であり、ＰＣ（パーソナル  コンピュータ）やその他外部機器と接続して、動画像ファイルや静止画像ファイルを入出力する通信インタフェースであり、例えばＵＳＢ方式による通信が可能である。９は、スイッチ部であり、フォトスイッチ（ＳＷ０１）、メニュースイッチ（ＳＷ０２）、メニュー中の項目を上方向へ移動し選択するスイッチ（ＳＷ０３）、メニュー中の項目を下方向へ移動し選択するスイッチ（ＳＷ０４）、選択項目決定スイッチ（ＳＷ０５）、静止画像記録の単写・連写切り換えスイッチ（ＳＷ０７）などが含まれ、ＳＷ０１〜ＳＷ１１より構成されている。
【００１５】
また、図１に示した画像記録再生装置は、静止画像記録時に静止画像記録の単写・連写切り換えスイッチ（ＳＷ０７）を押すことにより単写モード／連写モードの選択を行うことができる機能を有する。以下に、画像記録再生装置がモニタ部３及びスイッチ部９を利用して、画像記録再生装置の利用者に提供する、単写モード／連写モードの選択を行うためのユーザインタフェース例について説明する。
【００１６】
メニュースイッチ（ＳＷ０２）を押すことにより図３に示すメニュー画面３０がモニタ部３上に表示される。図３は、本実施形態におけるメニュー画面例を示す図である。図３に示すメニュー画面３０において、利用者がメニュー中の項目を上方向へ移動し選択するスイッチ（ＳＷ０３）とメニュー中の項目を下方向へ移動し選択するスイッチ（ＳＷ０４）を使用して、選択枠３１で”カード設定”を選択し、選択項目決定スイッチ（ＳＷ０５）を押すことにより、図４に示すカード設定メニュー画面４０がモニタ部３上に表示される。図４は、本実施形態におけるカード設定メニュー画面例を示す図である。
【００１７】
更に、カード設定メニュー画面４０におけるメニュー中の項目を、上方向へ移動し選択するスイッチ（ＳＷ０３）とメニュー中の項目を下方向へ移動し選択するスイッチ（ＳＷ０４）を使用し”プレイリスト自動生成”を選択し選択項目決定スイッチ（ＳＷ０５）を押すことにより図５に示すプレイリスト自動生成設定画面５０がモニタ部３上に表示される。図５は、本実施形態におけるプレイリスト自動生成設定画面例を示す図である。
【００１８】
ここで、プレイリスト自動生成設定画面５０におけるメニュー中の項目を、上方向へ移動し選択するスイッチ（ＳＷ０３）とメニュー中の項目を下方向へ移動し選択するスイッチ（ＳＷ０４）を使用して選択枠５１により”する”を選択すると、図６の表示状態となる。図６は、本実施形態におけるプレイリスト自動生成設定画面例を示す図である。図６に示す状態でメニュースイッチ（ＳＷ０２）を再度押すことによりプレイリスト自動生成を選択することができる。これにより、利用者がフォトスイッチ（ＳＷ０１）を押し続けると、画像記録再生装置は、連写を実施する。このとき、画像記録再生装置は、連写により生成される一連の画像データにおけるプレイリストを自動生成する。
【００１９】
次に、図１に示した画像記録再生装置の連写動作におけるプレイリストの自動生成処理について説明する。図７は、図１に示した画像記録再生装置における連写動作を示すフローチャートである。図７に示すように、まず、ステップＳ００において、画像記録再生装置は、静止画像の連写モードであるか否かを判断する。ここで、連写モードでないと判断した場合（ステップＳ００のＮｏ）には、画像記録再生装置は、連写処理を終了する。また、連写モードであると判断した場合（ステップＳ００のＹｅｓ）には、画像記録再生装置は、ステップＳ０１に進み、連写における１コマの静止画像の撮影処理を実施する。
【００２０】
次に、画像記録再生装置は、ステップＳ０２に進み、プレイリストの作成が許可状態であるか否かを判断する。これは、上述した図６に示すようにプレイリスト自動生成を“する”に設定することで、許可された状態となる。ここで、プレイリストの作成が禁止状態であれば、画像記録再生装置は、ステップＳ０１に戻り、連写における次の１コマとなる静止画像の撮影処理を行う。また、プレイリストの作成が許可状態であれば、画像記録再生装置は、ステップＳ０３に進み、ステップＳ０１で撮影した静止画像の画像データが連写処理における１枚目の画像データであるか否かを判断する。
【００２１】
ステップＳ０３において、１枚目であると判断した場合（ステップＳ０３の一枚目）には、画像記録再生装置は、ステップＳ０４に進み、連写用ファイル名で新規のプレイリスト（連写用プレイリスト）を作成する。また、ステップＳ０３において、２枚目以降であると判断した場合（ステップＳ０３の二枚目以降）には、画像記録再生装置は、ステップＳ０５に進み、連写用プレイリストにステップＳ０１で撮影した画像データ（ファイル）を登録する。以上に示した処理により、画像記録再生装置は、連写モード時に生成される一連の複数の静止画像に対して、プレイリストの自動生成を行うことができる。
【００２２】
次に、上述した画像記録再生装置における再生モード時の再生処理について説明する。
再生モード時には、画像記録再生装置は、電源投入と共に最後に撮影された静止画像あるいは動画像を再生する。この状態で、利用者がメニュースイッチ（ＳＷ０２）を押すことにより図８に示す再生メニュー画面８０がモニタ部３に表示される。図８は、本実施形態における再生メニュー画面例を示す図である。この再生メニュー画面８０を表示中に、利用者がメニュー中の項目を上方向へ移動し選択するスイッチ（ＳＷ０３）とメニュー中の項目を下方向へ移動し選択するスイッチ（ＳＷ０４）を使用して選択枠８１により“カード実行”を選択し、選択項目決定スイッチ（ＳＷ０５）を押すことにより図９に示すカード実行メニュー画面９０がモニタ部３に表示される。図９は、本実施形態におけるカード実行メニュー画面例を示す図である。
【００２３】
このカード実行メニュー画面９０を表示中に、利用者がメニュー中の項目を上方向へ移動し選択するスイッチ（ＳＷ０３）とメニュー中の項目を下方向へ移動し選択するスイッチ（ＳＷ０４）を使用して選択枠９１により“プレイリスト選択再生”を選択し、選択項目決定スイッチ（ＳＷ０５）を押すことにより図１０に示すプレイリスト選択画面１００がモニタ部３に表示される。図１０は、本実施形態におけるプレイリスト選択画面例を示す図である。
【００２４】
このプレイリスト選択画面１００を表示中に、利用者がメニュー中の項目を上方向へ移動し選択するスイッチ（ＳＷ０３）とメニュー中の項目を下方向へ移動し選択するスイッチ（ＳＷ０４）を使用して選択枠１０１により“ｐｌｉｓｔ００２．ｌｓｔ”を選択した状態が図１１に示す状態である。この図１１の状態で、利用者が、選択項目決定スイッチ（ＳＷ０５）を押すことにより図１２に示すようにプレイリスト実行を選択する選択枠１０２がプレイリスト選択画面１００内に表示される。この図１２に示すように“プレイリスト実行”を選択枠１０２で選択した状態で、利用者が選択項目決定スイッチ（ＳＷ０５）を押すとファイル名が“ｐｌｉｓｔ００２．ｌｓｔ”であるプレイリストファイルに記述された連写で撮影された一連の静止画像ファイル群を記述された順番で再生する。
【００２５】
ここで、本実施形態におけるプレイリストファイル（連写用プレイリスト）の内部構成例について説明する。
図１３は、本実施形態におけるプレイリストファイルの内部構成例を示す図である。図１３に示すプレイリストファイル１３０の“ｔｏｔａｌ  ｆｉｌｅ”の項目では、連写により３０枚の静止画像が連続記録された状態を示している。また、プレイリストファイル１３０の“ｔｉｍｅ  ｓｐａｃｅ”の項目では、連写撮影において１秒間に何枚撮影したか（以下、撮影間隔とする）を示している。また、プレイリストファイル１３０の“ｆｉｌｅ  ｌｉｓｔ  ｊｏｂ”の項目の下には、連写撮影で撮影された一連の静止画像のファイル名リストが記載されている。上述したようにプレイリストファイル１３０には連写撮影時の撮影間隔を記録してあるので、連写撮影時と同じ時間間隔で各静止画像ファイルを再生することも可能であり、更に再生の時間間隔を調整して再生することも可能である。尚、本実施形態では、予め決められた所定の間隔（数秒）で再生するようプレイリストを作成する。
【００２６】
次に、本実施形態の画像記録再生装置における連写用プレイリストの再生処理について説明する。
図１４は、本実施形態の画像記録再生装置における連写用プレイリストの再生処理を示す図である。ここで、連写用プレイリストとは、図１の画像記録再生装置において連写時に自動生成されたプレイリストである。
【００２７】
まず、ステップＳ０６において、画像記録再生装置は、プレイリストによる再生であるか否かを判断する。本実施形態では、図９に示したカード実行画面９０において選択枠９１により“プレイリスト選択再生”が選択されたか否かにより判断される。ここで、プレイリストによる再生ではないと判断した場合（ステップＳ０６のＮｏ）には、画像記録再生装置は、連写用プレイリストの再生処理を終了する。また、プレイリストによる再生であると判断した場合（ステップＳ０６のＹｅｓ）には、ステップＳ０７に進み、画像記録再生装置は、図１０に示したプレイリスト選択画面１００により、プレイリストの一覧をモニタ部３に表示する。次に、ステップＳ０８において、画像記録再生装置は、プレイリスト選択画面１００において利用者によりプレイリストが選択されたか否かを判断する。本実施形態では、図１０〜図１２に示すプレイリスト選択画面１００の遷移及び利用者の操作が行われたか否かによりプレイリストが選択されたか否かを判断する。
【００２８】
ここで、プレイリストが選択されていないと判断した場合（ステップＳ０８のＮｏ）には、画像記録再生装置は、ステップＳ１４に進み、プレイリストによる再生処理を中止するか否かを判断して、中止すると判断した場合には連写用プレイリストの再生処理を終了し、中止しないと判断した場合には、ステップＳ０８に戻る。
【００２９】
また、ステップＳ０８において、プレイリストが選択されていると判断した場合（ステップＳ０８のＹｅｓ）には、画像記録再生装置は、ステップＳ０９に進み、プレイリストのポインタ初期化を行う。ここで、ポインタとは、プレイリスト中の静止画像ファイルを特定する変数である。次に、画像記録再生装置は、ステップＳ１０に進み、ポインタが示すプレイリスト中の静止画像ファイルが存在するか否かを判断する。具体的には、画像記録再生装置は、ステップＳ０８において選択されたファイル名が“ｐｌｉｓｔ００２．ｌｓｔ”であるプレイリストファイル１３０の“ｆｉｌｅ  ｌｉｓｔ  ｊｏｂ”の項目を参照して、ポインタが示す静止画像ファイルが存在するか否かを判断する。
【００３０】
ここで、ポインタが示す静止画像ファイルが存在しないと判断した場合（ステップＳ１０のＮｏ）には、画像記録再生装置は、後述するステップＳ１３へ進む。また、ポインタが示す静止画像ファイルが存在すると判断した場合（ステップＳ１０のＹｅｓ）には、画像記録再生装置は、ステップＳ１１に進み、プレイリスト中のポインタで特定される静止画像ファイルを再生する処理を行う。次に、画像記録再生装置は、ステップＳ１２に進み、プレイリストのポインタの値を次に再生する静止画像ファイルを特定する値へ更新する。
【００３１】
次に、画像記録再生装置は、ステップＳ１３に進み、ステップＳ０８で選択されたプレイリスト中に含まれる静止画像ファイルは全て再生処理が終了したか否かを判断する。ここで、全ての静止画像ファイルの再生処理が終了したと判断した場合（ステップＳ１３のＹｅｓ）には、画像記録再生装置は、連写用プレイリストの再生処理を終了する。また、全ての静止画像ファイルの再生処理が終了していないと判断した場合（ステップＳ１３のＮｏ）には、画像記録再生装置は、ステップＳ１０に戻り、ステップＳ１２で更新されたポインタが示す静止画像ファイルがプレイリスト中に存在するか否かを判断する。
【００３２】
以上に示したように、本実施形態における画像記録再生装置によれば、連写撮影時に連写撮影により生成される一連の静止画像ファイルの再生順序等を定義するプレイリストを自動生成することができる。また、本実施形態における画像記録再生装置によれば、プレイリストを選択して再生することで、連写撮影により撮影した関連のある一連の静止画像ファイルを簡便に再生することができる。すなわち、連写撮影などにより関連する静止画像の関係を定義するプレイリストを生成して再生時に利用することで、連写撮影などにより関連のある複数枚の静止画像を関連付けて再生することができる。
【００３３】
［他の応用例］
上述した画像記録再生装置において生成した連写用プレイリストの、ＰＣ接続時における他の応用例について以下に説明する。上述したように、画像記録再生装置は、再生モード時は電源投入と共に最後に撮影された静止画像あるいは動画像が再生され、モニタ部３に表示される。この状態で、図１の外部通信部８とＰＣ（パーソナル  コンピュータ）が接続され、利用者がメニュースイッチ（ＳＷ０２）を押すことにより図１５に示す再生メニュー画面１５０がモニタ部３に表示される。図１５は、本実施形態におけるＰＣ接続時の再生メニュー画面例を示す図である。この再生メニュー画面１５０を表示中に、利用者がメニュー中の項目を上方向へ移動し選択するスイッチ（ＳＷ０３）とメニュー中の項目を下方向へ移動し選択するスイッチ（ＳＷ０４）を使用して選択枠１５１により“カード実行”を選択し、選択項目決定スイッチ（ＳＷ０５）を押すことにより図１６に示すカード実行メニュー画面１６０がモニタ部３に表示される。図１６は、本実施形態におけるＰＣ接続時のカード実行メニュー画面例を示す図である。
【００３４】
このカード実行メニュー画面１６０を表示中に、利用者がメニュー中の項目を上方向へ移動し選択するスイッチ（ＳＷ０３）とメニュー中の項目を下方向へ移動し選択するスイッチ（ＳＷ０４）を使用して選択枠１６１により“プレイリストによるファイル転送”を選択し、選択項目決定スイッチ（ＳＷ０５）を押すことにより図１７に示す転送プレイリスト選択画面１７０がモニタ部３に表示される。図１７は、本実施形態における転送プレイリスト選択画面例を示す図である。
【００３５】
この転送プレイリスト選択画面１７０を表示中に、利用者がメニュー中の項目を上方向へ移動し選択するスイッチ（ＳＷ０３）とメニュー中の項目を下方向へ移動し選択するスイッチ（ＳＷ０４）を使用して選択枠により“ｐｌｉｓｔ００２．ｌｓｔ”を選択して、選択項目決定スイッチ（ＳＷ０５）を押すことにより、“転送実行”を選択枠により選択可能となる。以上の画面遷移は図１０〜図１２に示した画面遷移と同様である。
【００３６】
ここで、利用者がこの“転送実行”を選択した状態で選択項目決定スイッチ（ＳＷ０５）を押すとファイル名が“ｐｌｉｓｔ００２．ｌｓｔ”であるプレイリストファイルに記述された連写で撮影された一連の静止画像ファイル群を外部通信部８に接続されたＰＣへ転送する。以上に示すように、本実施形態における画像記録再生装置は、連写用プレイリストを生成することで、連写撮影した一連の静止画像ファイルを簡便にまとめてＰＣへファイル転送することができる。
【００３７】
尚、上述した実施形態における画像記録再生装置のシステムコントローラ７は例えばＣＰＵ（中央演算装置）およびメモリを有する構成であり、各処理機能を実現する為のプログラムをメモリより読み出してＣＰＵが実行することにより、図７及び図１４に示した各処理機能を実現させてもよいし、各処理の全部または一部の機能を専用のハードウェアにより実現してもよい。
【００３８】
また、上述したメモリは、光磁気ディスク装置、フラッシュメモリ等の不揮発性のメモリや、ＣＤ−ＲＯＭ等の読み出しのみが可能な記録媒体、ＲＡＭ以外の揮発性のメモリ、あるいはこれらの組み合わせによるコンピュータ読み取り、書き込み可能な記録媒体より構成されてもよい。
【００３９】
また、上述した画像記録再生装置において各種処理を行う機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
【００４０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００４１】
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００４２】
また、上記のプログラムを記録したコンピュータ読み取り可能な記録媒体等のプログラムプロダクトも本発明の実施形態として適用することができる。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４３】
【図１】本発明の一実施形態における画像記録再生装置の概略構成を示す図である。
【図２】本実施形態におけるメモリカード６の内部ファイル構成例を示す図である。
【図３】本実施形態におけるメニュー画面例を示す図である。
【図４】本実施形態におけるカード設定メニュー画面例を示す図である。
【図５】本実施形態におけるプレイリスト自動生成設定画面例を示す図である。
【図６】本実施形態におけるプレイリスト自動生成設定画面例を示す図である。
【図７】図１に示した画像記録再生装置における連写動作を示すフローチャートである。
【図８】本実施形態における再生メニュー画面例を示す図である。
【図９】本実施形態におけるカード実行メニュー画面例を示す図である。
【図１０】本実施形態におけるプレイリスト選択画面例を示す図である。
【図１１】本実施形態におけるプレイリスト選択画面例を示す図である。
【図１２】本実施形態におけるプレイリスト選択画面例を示す図である。
【図１３】本実施形態におけるプレイリストファイルの内部構成例を示す図である。
【図１４】本実施形態の画像記録再生装置における連写用プレイリストの再生処理を示す図である。
【図１５】本実施形態におけるＰＣ接続時の再生メニュー画面例を示す図である。
【図１６】本実施形態におけるＰＣ接続時のカード実行メニュー画面例を示す図である。
【図１７】本実施形態における転送プレイリスト選択画面例を示す図である。
【符号の説明】
【００４４】
１      撮像部
２      画像信号処理部
３      モニタ部
４      圧縮／伸長部
５      メモリカードインタフェース
６      メモリカード
７      システムコントローラ
８      外部通信部
９      スイッチ部
１３０  プレイリスト
【図１】
2005197785.tif 000003
【図２】
2005197785.tif 000004
【図３】
2005197785.tif 000005
【図４】
2005197785.tif 000006
【図５】
2005197785.tif 000007
【図６】
2005197785.tif 000008
【図７】
2005197785.tif 000009
【図８】
2005197785.tif 000010
【図９】
2005197785.tif 000011
【図１０】
2005197785.tif 000012
【図１１】
2005197785.tif 000013
【図１２】
2005197785.tif 000014
【図１３】
2005197785.tif 000015
【図１４】
2005197785.tif 000016
【図１５】
2005197785.tif 000017
【図１６】
2005197785.tif 000018
【図１７】
2005197785.tif 000019